(57)【特許請求の範囲】
【請求項１】
ハンドル１６と、
ハンドル内部に収納される入口管１１と、
前記入口管に接続される弁１１１と、
前記入口管に接続され、かつ前記入口管と連通する出口管１２と、
外側管１４が前記入口管１１に接続され、
前記出口管１２が前記外側管１４内に収容され、
前記出口管１２と前記外側管１４との間に空間１５が形成され、
前記ハンドル１６に旋回可能に接続されるトリガー１７と、
前記トリガーと前記入口管との間に接続されたバネ１７２と協働するプッシュロッド１７１と、
前記出口管１２に接続される後部端及び閉塞端２２３である前部端を有する調節部材２０と、
前記調節部材２０の閉塞端である前部端の近傍に半径方向に形成される複数の第１出口２２４と、
第１チャンバー３４、第２チャンバー３５及び第３チャンバー３６を内部に形成し、前記第１チャンバーが外向き円錐状内周面３４２を有し、前記第２チャンバーが複数の小穴３５１を有し、第３チャンバーが長穴３６１を有する回転ヘッド３０と、
前記第２チャンバーの後部端に配置されるボード３７と、
前記ボードから延長するネック３７２と、
前記ネックを介して半径方向に形成される複数の孔３７３と、
前記第１チャンバーと係合する前記ネックの前部端と、
前記調節部材２０の後部端がフランジ２２を有し、前記フランジの周面にシール２２１が装着され、前記シールが前記外側管１４の内周面と接触し、前記回転ヘッド３０の後部端にシール３２が装着され、前記外側管１４の内周面と接触し、前記回転ヘッド３０が環状凹部３３を含み、前記外側菅１４内に保持カラー１４３が装着され、該保持カラーのボス１４３１が環状凹部３３にはめ込まれており、保持カラー１４３が外側管１４と回転ヘッド３０を固定していること、
からなる散水ノズルにおいて、
前記回転ヘッド３０を回転させると、前記調節部材２０が直線的に移動可能であり、前記調節部材２０と前記回転ヘッド３０の後部端が前記空間内に収容され、その結果前記第１出口２２４を介して前記第１チャンバー３４、前記第２チャンバー３５又は前記第３チャンバー３６内に水が流入するよう導水される、散水ノズル。
【請求項２】
前記出口管が一対の並列レール１２１を含み、
前記調節部材の後部端が前記レールを摺動可能にはめ込み可能な溝２１を含む、
請求項１に記載の散水ノズル。
【請求項３】
前記外側管が外側管を通して形成される複数のスナップ穴１４１を含み、
前記外側管内に保持カラー１４３が装着され、
複数のボス１４３１が前記保持カラーの内周面から延長し前記スナップ穴に係合する、
請求項１又は２に記載の散水ノズル。
【請求項４】
前記調節部材の後部端がネジ山付外周面２２２を含み、
前記回転ヘッド３０が前記調節部材のネジ山付外周面に接続される、
請求項１〜３の何れか一に記載の散水ノズル。
【請求項５】
第１シール２２５、第２シール２２６及び第３シール２２７が、前記調節部材２０に装着され、
前記第１出口２２４が、前記第１シール２２５と前記第２シール２２６の間に配置される、
請求項１〜４の何れか一に記載の散水ノズル。
【請求項６】
ノズル部材２２８が、前記調節部材２０の前部端に接続され、
前記調節部材２０の後部端が、半径方向に形成される複数のオリフィス２２８１を含み、
前記調節部材２０内に長手方向に通路２２８２が形成され、
前記ノズル部材２２８の前部端が外向きの前部端を具備する、
請求項１〜５の何れか一に記載の散水ノズル。
【請求項７】
環状口３４１が、前記回転ヘッド３０の前部端から内向きに延長し、前記第１チャンバー３４内に配置される、請求項１〜６の何れか一に記載の散水ノズル。
【発明の詳細な説明】
【技術分野】
【０００１】
本発明は、回転ヘッドにより異なる散水パターンを発生することができる散水ノズルに関する。
【背景技術】
【０００２】
従来の散水ノズルは、図１０に示されるように、散水パターン間の間隔を調節するようにネジ部に沿って移動可能なバレルを具備する。ただし、移動可能なバレルがハンドルから離れて回転した後、ごみ又は小石がネジ部に詰まりバレルの回転に悪影響を及ぼす恐れがある。他の従来の散水ノズルは、図１１に示されるように、図１０の散水ノズルの欠点を改良している。つまり、図１１の散水ノズルでは、バレルの回転時にネジ部が露出しないようになっている。ただし、この従来の散水ノズルでは、部品の数が極めて多いので複雑な構造になっている。更に他の従来の散水ノズルが米国特許第5,333,792号に開示されており、この散水ノズルは、比較的少ない部品の数で構成されている。
【特許文献１】米国特許第5,333,792号公報
【発明の開示】
【発明が解決しようとする課題】
【０００３】
本発明の課題は、異なる散水パターンを発生させることができる散水ノズルを提供することである。
【課題を解決するための手段】
【０００４】
本発明者らは鋭意研究を重ねた結果、ヘッドを回転可能とし、ヘッドの回転により異なるチャンバー内に水を導入することにより上記課題を解決する散水ノズルを完成した。
【０００５】
すなわち、本考案の回転ヘッド付き散水ノズルは、以下よりなる。
１．ハンドルと、
ハンドル内部に収納される入口管と、
前記入口管に接続される弁と、
前記入口管に接続され、かつ前記入口管と連通する出口管と、
前記ハンドルに旋回可能に接続されるトリガーと、
前記トリガーと前記入口管との間に接続されたバネと協働するプッシュロッドと、
前記出口管に接続される後部端及び閉塞端である前部端を有する調節部材と、
前記調節部材の閉塞端である前部端の近傍に半径方向に形成される複数の第１出口と、
第１チャンバー、第２チャンバー及び第３チャンバーを内部に形成し、前記第１チャンバーが外向き円錐状内周面を有し、前記第２チャンバーが複数の小穴を有し、第３チャンバーが長穴を有する回転ヘッドと、
前記第２チャンバーの後部端に配置されるボードと、
前記ボードから延長するネックと、
前記ネックを介して半径方向に形成される複数の孔と、
前記第１チャンバーと係合する前記ネックの前部端と
からなる散水ノズルにおいて、
前記回転ヘッドを回転させると、前記調節部材が直線的に移動可能であり、その結果前記第１出口を介して前記第１チャンバー、前記第２チャンバー又は前記第３チャンバー内に水が流入するよう導水される、散水ノズル。
２．前記出口管が一対の並列レールを含み、
前記調節部材の後部端が前記レールを摺動可能にはめ込み可能な溝を含む、
前項１に記載の散水ノズル。
３．外側管が前記入口管に接続され、
前記出口管が前記外側管内に収容され、
前記出口管と前記外側管との間に空間が形成され、
前記調節部材と前記回転ヘッドの後部端が前記空間内に収容される、
前項１又は２に記載の散水ノズル。
４．前記外側管が外側管を通して形成される複数のスナップ穴を含み、
前記外側管内に保持カラーが装着され、
複数のボスが前記保持カラーの内周面から延長し前記スナップ穴に係合する、
前項３に記載の散水ノズル。
５．前記調節部材の後部端がフランジを有し、
前記フランジの周面にシールが装着され、
前記シールが前記外側管の内周面と接触する、
前項１〜４の何れか一に記載の散水ノズル。
６．前記調節部材の後部端がネジ山付外周面を含み、
前記回転ヘッドが前記調節部材のネジ山付外周面に接続される、
前項１〜５の何れか一に記載の散水ノズル。
７．第１シール、第２シール及び第３シールが、前記調節部材に装着され、
前記第１出口が、前記第１シールと前記第２シールの間に配置される、
前項１〜６の何れか一に記載の散水ノズル。
８．ノズル部材が、前記調節部材の前部端に接続され、
前記調節部材の後部端が、半径方向に形成される複数のオリフィスを含み、
前記調節部材内に長手方向に通路が形成され、
前記ノズル部材の前部端が外向きの前部端を具備する、
前項１〜７の何れか一に記載の散水ノズル。
９．前記回転ヘッドの後部端にシールが装着され、前記外側管の前記内周面と接触し、
前記回転ヘッドが環状凹部を含み、
前記保持カラーのボスが環状凹部にはめ込まれる、
前項４〜８の何れか一に記載の散水ノズル。
１０．環状口が、前記回転ヘッドの前部端から内向きに延長し、前記第１チャンバー内に配置される、前項１〜９の何れか一に記載の散水ノズル。
【発明を実施するための最良の形態】
【０００６】
以下に、本考案の一実施形態を示し、具体的に説明するが、本考案はこれらに限定されるものではない。
【０００７】
図１から図３を参照すると、本発明の散水ノズル１０は、ハンドル１６及びハンドル１６内部に収納される入口管１１を含み、弁１１１が、入口管１１に接続される。出口管１２は、入口管１１に接続され、かつ入口管１１と連通する。出口管１２は、バレル内に収納され、かつハンドル１６の上部端に配置される。トリガー１７は、ハンドル１６に軸接続され、かつトリガー１７を遮断位置に保持するように、バネ１７２と協働するプッシュロッド１７１が、トリガー１７と入口管１１との間に接続される。ロック部材１８は、トリガー１７に軸接続され、かつトリガーを作動位置にロックするために入口管１１とロック部材１８との間に配置されるバネ１８１と協働する。コントロールノブ１３１を備えた流量制御部材１３は、散水ノズル１０のバレルの後部端に接続される。
【０００８】
調節部材２０は、後部端と前部端とを有し、後部端は、出口管１２に接続され、調節部材２０の前部端は閉塞端２２３となっている。複数の第１出口２２４は、調節部材に、半径方向に形成され、かつ閉塞端２２３近傍に配置される。第１シール２２５、第２シール２２６及び第３シール２２７は、調節部材２０に装着され、第１出口２２４が、第１シール２２５と第２シール２２６との間に配置される。ノズル部材２２８は、調節部材２０の前端に接続され、その後部端に半径方向に形成された複数のオリフィス２２８１を含み、かつ通路２２８２が、調節部材２０に対し長手方向に形成される。ノズル部材２２８の前部端は、外向きの前部端を有する。調節部材２０の後部端は、フランジ２２を有し、かつシール２２１がこのフランジ２２の周面に装着され、シール２２１が、外側管１４の内周面と接触している。外側管１４は、入口管１１に接続され、かつ出口管１２が外側管１４内に収容される。空間１５が、出口管１２と外側管１４の間に形成される。外側管１４は、これを貫通する複数のスナップ穴１４１を含み、かつ保持カラー１４３が外側管１４に装着される。保持カラー１４３は、スナップ穴１４１と係合するように外側管１４の内周面から延長する複数のボス１４３１を含む。ノズル部材２２８は、調節部材２０の前部端に接続され、かつ調節部材２０の前部端において半径方向に形成される複数のオリフィス２２８１を含む。通路２２８２は、調節部材２０に対し長手方向に形成され、ノズル部材２８の前部端は、外向きの前部端を含む。
【０００９】
回転ヘッド３０は、その内部に形成される第１チャンバー３４、第２チャンバー３５と第３チャンバー３６を有し、三つのチャンバーの各々の周面は、外向き円錐状内周面３４２、複数の小穴３５１と長穴３６１を有する。回転ヘッド３０の後部端と調節部材２０は、出口管１２と外側管１４の間に形成された空間１５内に収容される。調節部材２０の後部端は、ネジ山付外周面２２２を具備し、かつ回転ヘッド３０は、調節部材２０のネジ山付外周面２２２に接続されるネジ山付内周面３１を含む。出口管１２は、一対の並列レール１２１を含み、かつ調節部材２０の後部端は、レール１２１が摺動可能にはめ込み可能な溝２１を有する。シール３２は回転ヘッド３０の後部端に装着され、かつ外側管１４の内周面と接触している。回転ヘッド３０は、保持カラー１４３のボス１４３１がはまるように環状凹部３３を含む。環状口３４１は、回転ヘッド３０の前部端から内向きに延長し、かつ第１チャンバー３４内に配置される。
【００１０】
支持延長部１４２は、回転ヘッド３０の胴体部を支持するように外側管１４から延長する。ボード３７は、第２チャンバー３５の後部端に配置され、かつネック３７２がこのボード３７から延長する。複数の孔３７３が、ネック３７２を介して半径方向に形成され、かつネック３７２の前部端が、第１チャンバー３４と係合する。シール３７１が、ボード３７へ装着され、かつ第２チャンバー３５の内周面と接触している。第１チャンバー３４の開口部をシールできるように、シール３７４がネック３７２へ装着される。
【００１１】
回転ヘッド３０を回転させると、調節部材２０が直線的に移動可能であり、その結果前記第１出口２２４を介して第１チャンバー３４、第２チャンバー３５又は第３チャンバー３６内に水を導水可能となる。
【００１２】
図４を参照すると、ノズル部材２２８を第１チャンバー３４の環状口の開口と接触させるために回転ヘッド３０を回転させると、水は、調節部材２０の第１出口２２４を介して第１チャンバー３４内へ流入する。その後、水は、オリフィス２２８１を介して通路２２８２の外向き開口２２８３から流出する。この状態では、第２シール２２６及び第３シール２２７は、ボード３７のネック３７２と接触している。
【００１３】
図５に示すように、調節部材２０を後方へ移動させるために回転ヘッド３０を回転させると、ノズル部材２２８と第１チャンバー３４の内周面との間に隙間が形成される。水は、調節部材２０の第１出口２２４を介して第１チャンバー３４へ流入し、かつ一部の水は、オリフィス２２８１を介して通路２２８２の外向き開口２２８３から流出し、それから通路２２８２から流出する。一部の水は、ノズル部材２２８と第１チャンバー３４の内周面との間の隙間から流出する。水は、特定の散水パターンを形成するように環状口３４１の外向き円錐状内周面３４２に衝突する。この状況において、第２シール２２６及び第３シール２２７は、ボード３７のネック３７２と接触しており、かつノズル部材２２８は、環状口３４１内に配置される。
【００１４】
図６に示すように、ノズル部材２２８の前部端を環状口３４１に配置させるように、環状口３４１の調節部材２０を後方へ移動させるために、回転ヘッド３０を回転させると、調節部材２０の第１出口２２４は、ネック３７２内に配置されて、それらの間に狭い通路を形成する。さらに、環状通路がノズル部材２２８と環状口３４１との間に形成される。水は上記狭い通路を通過し、環状通路及び外向き開口２２８３から流出する。この状態において、第２シール２２６と第３シール２２７はボード３７のネック３７２に接触している。
【００１５】
図７Ａ及び図７Ｂに示すように、調節部材２０を図６に示す位置より更に移動させると、第１シール２２５はネック３７２の開口を僅かに塞ぐように配置され、水は、第１出口２２４と孔３７３との間の隙間、及び第１シール２２５とネック３７２間の隙間に導水され、それから第１チャンバー３４と第２チャンバー３５内へ流入する。水は小穴３５１及び環状通路から流出する。
【００１６】
図８に示すように、調節部材２０が、ネック３７２内に完全に収容されると、第１出口２２４が、ネック３７２の孔に対応して配置される。第１シール２２５は、ネック３７２の内周面と接触してネック３７２との隙間を閉鎖する。水は、そのとき、第１出口２２４と孔３７３を介して第２チャンバー３５内へ流入し、小穴３５１から流出する。
【００１７】
図９Ａ及び図９Ｂに示すように、調節部材２０を更に後方に移動させるように回転ヘッド３０を回転させると、水は、第３チャンバー３６内へ導入され、かつ長穴３６１から流出する。
【産業上の利用可能性】
【００１８】
本発明により、ヘッドが回転可能で、その回転により異なる散水パターンを発生させることができる散水ノズルを製造可能となる。
【図面の簡単な説明】
【００１９】
【図１】本発明の散水ノズルを示す分解図である。
【図２】本発明の散水ノズルを示す断面図である。
【図３】出口管の並列レールが調節部材の溝にはめ込まれた状態を示す断面図である。
【図４】水が回転ヘッドの外向き開口から流出する状態を示す図である。
【図５】水が回転ヘッドの外向き開口及びノズル部材と第１チャンバーの内周面との間の隙間から流出する状態を示す図である。
【図６】水が回転ヘッドの環状通路及び外向き開口から流出する状態を示す図である。
【図７Ａ】水が小穴及び環状通路から流出する状態を示す図である。
【図７Ｂ】図７における調節部材の位置を示す拡大図である。
【図８】水が小穴から流出する状態を示す図である。
【図９Ａ】水が長穴から流出する状態を示す図である。
【図９Ｂ】図９における調節部材の位置を示す拡大図である。
【図１０】従来の散水ノズルを示す図である。
【図１１】従来の他の散水ノズルを示す図である。
【図１２】特許文献１に開示された散水ノズルを示す図である。
【符号の説明】
【００２０】
１０      散水ノズル
１１      入口管
１１１    弁
１２      出口管
１２１    レール
１３      流量制御部材
１３１    コントロールノブ
１４      外側管
１４１    スナップ穴
１４２    支持延長部
１４３    保持カラー
１４３１  ボス
１５      空間
１６      ハンドル
１７      トリガー
１７１    プッシュロッド
１７２    バネ
１８      ロック部材
１８１    バネ
２０      調節部材
２１      溝
２２      フランジ
２２１    シール
２２２    ネジ山付外周面
２２３    閉塞端
２２４    第１出口
２２５    第１シール
２２６    第２シール
２２７    第３シール
２２８    ノズル部材
２２８１  オリフィス
２２８２  通路
２２８３  外向き開口
３０      回転ヘッド
３１      ネジ山付内周面
３２      シール
３３      環状凹部
３４      第１チャンバー
３４１    環状口
３４２    外向き円錐状内周面
３５      第２チャンバー
３５１    小穴
３６      第３チャンバー
３６１    長穴
３７      ボード
３７１    シール
３７２    ネック
３７３    孔
３７４    シール
【図１】
0004778296.tif 000002
【図２】
0004778296.tif 000003
【図３】
0004778296.tif 000004
【図４】
0004778296.tif 000005
【図５】
0004778296.tif 000006
【図６】
0004778296.tif 000007
【図７Ａ】
0004778296.tif 000008
【図７Ｂ】
0004778296.tif 000009
【図８】
0004778296.tif 000010
【図９Ａ】
0004778296.tif 000011
【図９Ｂ】
0004778296.tif 000012
【図１０】
0004778296.tif 000013
【図１１】
0004778296.tif 000014
【図１２】
0004778296.tif 000015